(57)【要約】【課題】  小寸法の複数の光源からなる自動車用のヘッドライトで、深さの小さいものを提供する。【解決手段】  自動車用ヘッドライトの照明配列（１０）は、複数の隣接する基本セル（１１）から形成されており、各セルは、水平寸法（Ｈ）と垂直寸法（Ｖ）とを有する発光表面で規定され、光束を放射できる光源（１２）と、その光束を所定の立体角でほぼ所定の方向に伝搬できる光学系（１３）と、含んでいる。基本セル（１１）は、所定の発光の配光を全て形成できるように、配置されている。光源（１２）の発光表面の水平寸法（Ｈ）と垂直寸法（Ｖ）は、異なっている。垂直寸法（Ｖ）は、１ｍｍ未満であり、水平寸法（Ｈ）と垂直寸法（Ｖ）との比は、２より大きい。【選択図】図２
2005056849.tif 000002
【特許請求の範囲】
【請求項１】
自動車用ヘッドライトの照明配列であって、
複数の隣接する基本セル（１１）から形成され、
上記基本セルの各々は、
水平寸法（Ｈ）と垂直寸法（Ｖ）とを有する発光表面で規定され、光束を放射できる光源（１２）と、
上記光束を所定の立体角でほぼ所定の方向に伝搬できる光学系（１３）と、を備え、
上記基本セル（１１）が、所定の発光の配光を全て形成できるように配置されおり、
垂直寸法（Ｖ）が１ｍｍ未満であり、水平寸法（Ｈ）と垂直寸法（Ｖ）との比が２より大きいことを特徴とする自動車用ヘッドライトの照明配列。
【請求項２】
上記水平寸法（Ｈ）が２ｍｍより大きく、垂直寸法が０．５ｍｍ未満である請求項１に記載の自動車用ヘッドライトの照明配列。
【請求項３】
個々の上記光源（１２）は、矩形ではなく、水平寸法（Ｈ）が水平方向の最大寸法で規定され、垂直寸法（Ｖ）が垂直方向の最大寸法で規定されている請求項１又は２に記載の自動車用ヘッドライトの照明配列。
【請求項４】
上記個々の光源（１２）が、水平方向に長い六角形の形状であり、水平方向に対して傾斜した部分（１２ａ）を有している請求項３に記載の自動車用ヘッドライトの照明配列。
【請求項５】
上記個々の光源（１２）が、水平方向に長い五角形の形状であり、水平方向に向かって垂直寸法が増加する部分（１２ｃ）を有している請求項３に記載の自動車用ヘッドライトの照明配列。
【請求項６】
上記基本セル（１１）の光源（１２）が、電気的励起によって発光することが可能な無機又は有機半導体材料から製造されている請求項１乃至５のいずれかに記載の自動車用ヘッドライトの照明配列。
【請求項７】
上記光源（１２）がＬＥＤである請求項６に記載の自動車用ヘッドライトの照明配列。
【請求項８】
上記個々の半導体光源（１２）が、半導体ウェハ（Ｗ）から製造されており、さらに分割して所望の寸法及び形状の個々の繰返しユニットにして、ウェハ（Ｗ）材料の廃棄部分を最小にした請求項６又は７に記載の自動車用ヘッドライトの照明配列。
【請求項９】
上記基本セル（１１）の光源（１２）が、白熱による発光が可能な金属材料から製造されている請求項１乃至５のいずれかに記載の自動車用ヘッドライトの照明配列。
【請求項１０】
上記光源（１２）の形状が、断面円形又は矩形の金属フィラメントの簡単な変形により得られる請求項９に記載の自動車用ヘッドライトの照明配列。
【請求項１１】
上記基本セル（１１）が、マトリクス状に配置されている請求項１乃至１０のいずれかに記載の自動車用ヘッドライトの照明配列。
【請求項１２】
上記光学系（１３）が、光線を伝搬する少なくとも１つのレンズを含む請求項１乃至１１のいずれかに記載の自動車用ヘッドライトの照明配列。
【請求項１３】
上記光学系（１３）が、光線を反射するリフレクタを含む請求項１乃至１２のいずれかに記載の自動車用ヘッドライトの照明配列。
【請求項１４】
請求項１乃至１３のいずれかに記載の照明配列を含む道路用自動車のヘッドライト。
【発明の詳細な説明】
【技術分野】
【０００１】
本願発明は、複数の、例えばＬＥＤのような光源を含むタイプの一般的な自動車用ヘッドライトに関し、特に、自動車用ヘッドライトの照明配列に関する。
【背景技術】
【０００２】
自動車産業の分野において、かねてから、ＬＥＤ（light-emitting diode）又は他の発光デバイスのマトリクスから形成されるフロント及びリアの自動車用ライトの製造に関して、より小型の、特に深さ方向について小型のデバイスで且つ新しい美的外観を備えたものを得られるように、新しい解決策によって研究が行われている。
【０００３】
周知のとおり、従来の道路ライトは、ハロゲン又は放電タイプのランプ型光源と、現行の法規に従った配光を形成できる光学系と、に基づいている。光学システムは、複数の区分を備えたマルチリフレクタと滑らかな透明エレメントとから構成され、又は、プリズム状の透明エレメントと実質的に放射状のリフレクタとから構成されており、もしくはマルチリフレクタとプリズム状の透明エレメントとを組合せて構成されている。
【０００４】
いずれの場合も、リフレクタ及び透明エレメントは、実際に光源からの光を、それぞれ反射し、透過する。透明エレメントは、ヘッドライトからの光ビームの出口の表面を規定する。
【０００５】
これも周知であるが、現行の法規により、自動車のヘッドライトは、そこから一定の距離に配置した測定スクリーン上に、所定の配光を生成しなくてはならない。
【０００６】
この配光は、下向きのヘッドライトの場合、垂直拡散が小さく（通常は１５°以下）、水平拡散（通常は６０°〜７０°）が際だって大きい矩形形状を有している。
【発明の開示】
【発明が解決しようとする課題】
【０００７】
ヘッドライトの広がりは、下向きヘッドライトの機能において特に重要であり、ライトの配光は、ヘッドライトの光軸における最大の照度から、事実上照度ゼロまで非常に急激に変化しなくてはならない。
【０００８】
この制約は、光束が、拡散の垂直角で通常１５°以下、拡散の水平角で通常２０°〜３０°以下の配光部分に優勢的に集中することを意味している。図１は、配光部分を図示しており、ここでは、ヨーロッパの法規に従って、下向きヘッドライトの光束を集中させている（左側走行の場合には、配光を水平に傾ける）。この領域は、ヘッドライトの幾何学的な軸上に原点を有するデカルト軸系によって表現されている。図から判るように、この領域は、デカルト軸系において水平に集中しており、拡散の水平角度２０°を有して、水平軸ｘから垂直方向に向かって実質的にその軸の下方に広がっており、また、拡散の垂直角度３°を有している。さらに、その領域は、水平軸ｘと傾斜部分との間で、その軸の上方に位置している垂直横方向の拡張部分を示している。通常は、光束の４０〜５０％が図１に示す領域内に入っている。例えば、放電ランプを備えた高品質の自動車用ヘッドライトでは、ヘッドライトから放射される総光束が約７００ルーメンであり、約３００ルーメンは、この領域内で終わるが、残りの４００ルーメンは、３°より大きい角度で図１の配光領域より下方に位置する配光の領域内と、２０°より大きい角度で図１の配光領域より横側に位置する配光の領域内との両方で終わっている。
【０００９】
従来の下向きヘッドライトの出口面の寸法は、非常に変更可能であり、深さもまた同様である。特に、深さは、光源の直線寸法という事実によって束縛されており、白熱灯の場合、例えばフィラメントは、通常４ｍｍより小さいことはない。上記の法規で定められた測光性能を保証するために、リフレクタは、８０ｍｍ以上の焦点距離を有していなくてはならない。下向きヘッドライトにおいて、長い焦点距離を選択することは、配光の拡散の垂直角度を、わずかな角度の間に維持する必要性に関係してくる。事実、光源の垂直の半寸法（semi-dimension）Ｌと、垂直方向に許容されている半拡散（semi-divergence）θと、において、光学系の焦点距離Ｆは、Ｆ＝Ｌ／ｔａｎ（θ）の式で規定される。また、焦点距離Ｆは、ヘッドライトの出口断面の寸法によっても規定されており、これは、リフレクタが、光源から放射される光束を、可能な限り多く受容しなければないからである。
【００１０】
特に、（出口エリアに関して）小型バージョンの下向きヘッドライトは、いわゆる”楕円形”のヘッドライトであり、光源の像を形成する楕円形のリフレクタを含んでいる。この場合には、配光の急激な遮断は、リフレクタからの光を、リフレクタで形成された光源の像の近傍に配置されたダイアフラムを通して、部分的に覆い隠すことによって得られる。最後のレンズは、遠い場所に、法規で規定されている配光を形成するダイアフラムの像を映し出す。ダイヤフラムの存在によって、短い焦点距離のリフレクタを利用することが可能になった（それにより、大きい寸法の光源の像が形成できる）。その代償は、リフレクタの深さの増加と、効率の低下（従来の非楕円形タイプのヘッドライトが７０％以上であるのに対して、通常３５％以下）である。
【００１１】
焦点距離が短く、それにより厚みの小さいヘッドライトを得るための、唯一の解決策は、光源の垂直寸法を減少することであり、それは、エミッタンスの大きい光源（例えば、表面エリアのユニットから放射される光束）を用いるか、又は垂直寸法の小さい多数の光源に分割するか、のいずれかにより達成でき、それは、同等のエミッタンスを有し、個々の光源の表面エリアの合計が元の光源の表面エリアと等しく、それゆえ等しい総光束を得られる、という方法による。
【００１２】
通常の自動車のヘッドライト用の光源は、ハロゲンランプ（例えば、Ｈ７に分類されるランプ）であり、これは、消費電力が５５Ｗ、公称光束が１３００ルーメン以上であり、２０mm２以上の等価な発光表面エリアを備えており、エミッタンスは、６５ lm／mm２に等しい。
【００１３】
エミッタンスが２５ lm／mm２までのＬＥＤが市場に現れ始めているにも拘わらず、現在の白色ＬＥＤは、エミッタンスが、最大で１８ lm／mm２である。技術と半導体接合と蛍光体との分野の急速な進歩と、継続的なパッケージング技術の改良と、により、白色ＬＥＤは、数年以内に４０ lm／mm２のしきい値にまで達すると考えられている。ＬＥＤ設計者の目的は、中長期のうちに、エミッタンスを１００ lm／mm２まで到達することである。
【００１４】
寸法を小さくした白熱灯の微小光源により、エミッタンスの増加についての解決法を追求することは、容易ではない。白熱灯光源のエミッタンスは、プランクの法則により、操作温度によって制限される。エミッタンスを増加させるということは、白熱灯の温度を実際に上げることである。今日において、白熱灯の温度は、既に限界値に達しており、許容できる平均的な耐用年数に適合している。しかしながら、今までのところ、ハロゲンランプは、まだ、白色ＬＥＤに比べて３〜４倍ほど高いエミッタンスを有している。
【００１５】
本発明の目的は、小寸法の複数の光源からなる自動車用のヘッドライトであって、現在の照明基準と一致する配光を形成できるものを提供することである。
【課題を解決するための手段】
【００１６】
本発明の目的は、請求項で規定した特徴を有する自動車用ヘッドライトの照明配置によって達成することができる。
【００１７】
そのような照明配置のために、自動車用ヘッドライトは、要求された照明基準に適合する配光を形成できるものである。それと同時に、ヘッドライトは、小型構造を有しており、その中には、光線の出口表面が、現在販売されているヘッドライトのエリア（通常は、１８０００mm２より小さい）に比べて、同等か又は小さいエリアを有している。そして、深さは、現在のヘッドライト（例えば、２０mm以下）よりも著しく小さくなくてはならない。
【００１８】
照明配列に使用される光源は、半導体タイプ（白色ＬＥＤ）及び白熱灯タイプ（ミクロフィラメント）の両方である。本発明で請求された寸法の限定は、現在販売されている小寸法の光源（白色ＬＥＤ又はミクロフィラメント）の全てに有効であり、一般的に６０ lm／mm２までのエミッタンスを有する光源用である。
【発明の効果】
【００１９】
本発明の照明配列を、ヘッドライトに適用することにより、従来の単一光源のヘッドライトと実質的に等しいヘッドライトの出口断面のエリアを維持したまま、ヘッドライト自身の深さを減少することができる。
また、本発明の照明配列を含むヘッドライトは、照明基準と一致する配光を形成することができる。
さらに、本発明の照明配列を含むヘッドライトは、簡単な変更により、各国の照明基準に合致させることが容易である。
【発明を実施するための最良の形態】
【００２０】
ここに、いくつかの好ましい、しかしこれに限定されない本発明の実施例を、添付の図面を参照して記載する。
【００２１】
図２には、本発明の照明配列を有する自動車用ヘッドライト１０が図示されている。ヘッドライト１０は、複数の隣接する基本セル１１をマトリクス状に配置して形成されている。それぞれの基本セル１１は、既知のタイプの光源１２で、例えばＬＥＤ（有機又は無機）又は白熱灯のミクロフィラメントからなっており、水平寸法Ｈと垂直寸法Ｖとを有する発光表面によって規定されて、光束を放射できるようになっている。基本セル１１は、さらに、円形のレンズとして図示されている光学系１３を含んでおり、光源１２から放射された光束を、所定の立体角で、ほぼ所定の方向に伝搬することができる。
【００２２】
光学系１３は、いずれの既知の光学系にすることもでき、例えば、光源から放射された光束を伝搬するための突出部を含むタイプや、又は、光束を反射するためのリフレクタエレメントを含むタイプ、又は上記のそれらを組合せたタイプ等がある。図３は、図２のヘッドライトの伝搬の光学系を線図で示している。光学系１３は、円形レンズ１１からなり、半径Ｒoptと焦点距離Ｆとを有し、半拡散（semi-divergence）角度がθである。光源１２の垂直寸法Ｖは、２Ｌと等しく、レンズ１１の半有効口径（semi-aperture）は、αに等しい。
【００２３】
求める配光は、図１に示したものであり、垂直拡散θ（Ｙ軸方向）が３°、水平拡散（Ｘ軸方向）が２０°であり、入射光束（Φeff）が３００ lmである。Ａeffを、図１の配光の形成の責任をはたすヘッドライトの光線の出口断面のエリアとする。
【００２４】
ヘッドライトの残部は、配光の残部（図１に示した配光の下方に位置している）の形成の原因になるだろう。通常、配光の残部は、大きい垂直角度（３°より大きい）になる傾向があるので、配光のこの部分のための光源は、通常は、より短い焦点距離の光学部品を有し、それゆえ小さい出口表面エリアを有する。一般には、もしＡeffが図１の配光の形成に必要なエリアであるならば、配光の残部の形成に必要な表面エリアは、一次近似の結果からＡeff／２未満であろう。
【００２５】
周知のように、ヘッドライトの光学系の焦点距離Ｆは、次式で与えられる。
【００２６】
【数１】
2005056849.tif 000003
ここで、Ｌが光源の垂直方向の半寸法、θが放射した光線の垂直方向の半拡散角度である。
【００２７】
光学の半径Ｒopt、又は、本実施例における個々のセル１１の円形レンズ１３の半径は、次式で与えられる。
【００２８】
【数２】
2005056849.tif 000004
【００２９】
円形レンズ１１で規定される光束の出口断面を考慮すれば、個々の基本セル１１の出口断面のエリアＡは、Ａ＝πＲopt２の式で与えられ、さらに、複数の光源１２つまり複数のセル１１を備えると、ヘッドライト１０の出口断面の総エリアＡtotは、Ａtot＝Ａ・Ｎeffで与えられる。
【００３０】
上述の式が分かったので、本発明における個々の光源１２の垂直寸法Ｖを、ヘッドライトの出口断面の総エリアＡtotと、微小光源の個数Ｎeffと、求める配光の拡散角度θと、光源１２からの光束の口径角度αと、により表現できる。
【００３１】
【数３】
2005056849.tif 000005
【００３２】
さらに、個々の光源１２の水平寸法Ｈを、垂直寸法Ｖと、微小光源の個数Ｎeffと、個々の光源１１のエミッタンスＥと、微小光源１２から放射された総光束Φtotと、により、次式で表現できる。
【００３３】
【数４】
2005056849.tif 000006
【００３４】
よって、ほぼ矩形の微小光源１２の表面の和により形成された総エリアは、次式で与えられる。
【００３５】
【数５】
2005056849.tif 000007
【００３６】
図４は、垂直寸法Ｖ（実線）、水平寸法Ｈ（破線）、及びＨ／Ｖ比（一点鎖線）を、光源１２の個数Ｎeffに対して示している。図４のグラフでは、エミッタンスＥの値が１８ lm／mm２になるように選択しているが、これは今日の白色ＬＥＤの通常の値である。また、ヘッドライトの出口断面の総エリアＡtotは、１２０００mm２となるように選択した。通常のヘッドライトの出口断面のエリアＡtotは、約１２０００mm２から約１８０００mm２の範囲である。半拡散角度θは３°であり、これは、図１の標準的な配光に特有の拡散角度である。レンズ１３の半有効口径角度αは６０°であり、これは、ランバート分布で変化する通常の発光ローブを有する光源１２から放射される全光束の、７５％が放射される角度である。よって、全光束Φtotは、図１に図示した配光内に得ようとしている光束Φeffを、０．７５で割ったものに等しい。
【００３７】
半有効口径角度αの値の６０°は、レンズ１３の半有効口径の選択を最適化するときの通常の値である。事実として知られているように、レンズの焦点距離と直径との比が減少すると、つまり、焦点距離が等しくレンズの直径が増加すると、レンズの複雑さは増加する。一方、レンズの直径を減少すると、レンズの受容する光束が減少する。よって、半有効口径角度αの値は、照明からの要求、複雑さからの要求、及び経済的要求のバランスを取るように、６０°近傍で適切に選択すべきである。
【００３８】
図５は、光源の個数Ａeffに対する焦点距離Ｆを示しており、総エリアＡtotは、そのまま１２０００mm２とした。
【００３９】
例えば、ＬＥＤの個数Ｎeffを２２個に、微小光源の垂直寸法を４００μｍに選択すると、水平寸法は２．６mmになる。焦点距離は７．６mmになるだろう。
【００４０】
ヘッドライトの出口断面の総エリアＡtot（本実施例では、１２０００mm２である）に、配光の残部を形成するのに必要なＡtot／２の追加エリア、つまり６０００mm２を追加すると、ヘッドライトの出口断面の総エリアは、１８０００mm２になる。従来型の単一光源のヘッドライトでは、そのエリアは、光学部品の１５０mmの直径と、ヘッドライトの約８０mmの焦点距離と、を包含している。
【００４１】
本発明の照明配列を含むヘッドライトは、従来の単一光源のヘッドライトと実質的に等しいヘッドライトの出口断面のエリアを維持したまま、ヘッドライト自身の深さを減少することを示している。
【００４２】
代わりとして、ヘッドライトが、複数の四角形のＬＥＤ光源から構成され、表面が上記実施例と実質的に等しいエリアを有しており、それゆえ、単一光源から放射された光束が本発明の実施例と実質的に等しいと考えるならば、各光源の水平寸法は、その垂直寸法と等しくなり、約１mmになる。他の条件と同様に、Φeffを３００ルーメンに、エミッタンスを通常値の１８ lm／mm２にするには、（そして、単一のＬＥＤから放射される光束ΦLEDが１８ルーメンにするには）、ＬＥＤの必要な個数は約２２個になり、実際に次式のようになる。
【００４３】
【数６】
2005056849.tif 000008
【００４４】
数式（１）及び（２）から、焦点距離Ｆが４７．７mmに、光学の半径Ｒoptが８３mmになり、総エリアは、４８６０００mm２であり、これは、電球光源を備え１５０mmの直径の出口断面を有するヘッドライトによるエリアのほぼ３０倍に相当する。
【００４５】
さらに、図５から、厚さ２０mm未満のヘッドライトを有するために必要な光源の最小個数は、３個以上であると推定される。そして、Ｎeff＞２にするには、光源の垂直寸法Ｖは、１ｍｍ未満であり、Ｈ／Ｖ比は、常に６以上になる（図５参照）。
【００４６】
図６は、図４と同じ条件値であるが、エミッタンスのみが４０ lm／mm２である。図から判るように、Ｈ／Ｖ比は、３以上である。同様に、エミッタンスが６０ lm／mm２に達するまで、その比が、２より大きいまま維持できることも証明される。このエミッタンスの値は、現在知られている小寸法の光源によって得られる最大値である。
【００４７】
明らかなように、光源の形状は、上記の実施例に記載した矩形である必要がなく、それらの発光表面において、水平寸法と垂直寸法を規定することができれば十分である。例えば、表面は、楕円形や菱形にすることができ、不規則な多角形にすることもできる。
【００４８】
光源１２の矩形の変形例を、特に、図７及び図８に示す。図７では、光源１２は、水平方向に長い六角形の形状であり、その長さにわたって一定の垂直寸法を有し、水平方向に対して傾斜した部分１２ａを備えている。図８では、光源１２は、水平方向に長い五角形の形状であり、一定の垂直寸法である部分１２ｂを有し、そこを始点にして、水平方向に向かって垂直寸法が増加する部分１２ｃが伸びている。六角形の傾斜部分１２ａと、五角形の垂直寸法の増加する部分１２ｃとは、ヨーロッパ基準の配光の遮断線の傾斜部分を形成するのに役立つ。このように、特に簡単で、又は平坦で、透明なヘッドライトのエレメントを提供することができる。それは、これらの変形例によって、透明エレメントが、遮断線の下側の傾斜部分に光束を導く必要がなくなったからである。上記の変形例では、光源１２の水平寸法Ｈと垂直寸法Ｖとの各々が、対応する多角形の水平方向の最大寸法と垂直方向の最大寸法として規定される。
【００４９】
白熱灯光源の場合、上記の形状は、円形又は矩形の断面形状を有する金属フィラメントの簡単な変形によって得ることができる。
【００５０】
半導体光源の場合、図９〜図１１に図示されているように、光源は、既知の方法、例えば、単一の基板ウェハＷ、例えばシリコンの上に、ある数の層を積層する方法により、製造することができる。そして、得られた積層構造を、繰返しユニットに再切断して、半導体光源の製造が完了する。特に、上記の矩形、五角形、及び六角形は、ウェハＷの表面を、適切にさらに分割して光源用の繰返しユニットにすることにより、ウェハＷの廃棄部分を最小にすることができる。
【００５１】
明らかなように、本明細書は、透明エレメントの光学系と、ヨーロッパタイプの標準的な配光とを参照して提供されているが、本発明は、リフレクタの、又は透明エレメントとリフレクタの組合せを備えた光学系に用いることもでき、及び／又はアメリカタイプの標準的な配光を参照することもできる。
【００５２】
当然ながら、本発明の本質を変更せずに維持したまま、記載され図示されたことに関する製品及び実施形態の詳細を、本発明の範囲から逸脱することなく、広く変更することができる。
【図面の簡単な説明】
【００５３】
【図１】ヨーロッパ基準の下向きヘッドライトにより形成される配光部分を示した図面である。
【図２】本発明に係る照明配列を備えたヘッドライトの斜視図である。
【図３】図２のヘッドライトの光学系の平面図である。
【図４】ヘッドライトの光源の数に対する光源の寸法変化を説明するグラフである。ここで、ヘッドライトの光線の出口エリアは１２０００mm２であり、光源のエミッタンスは１８ lm／mm２である。
【図５】ヘッドライトの焦点距離の変化を説明するグラフである。ここで、ヘッドライトの光線の出口エリアは１２０００mm２であり、光源の数に依存している。
【図６】ヘッドライトの光源の数に対する光源の寸法変化を説明するグラフである。ここで、ヘッドライトの光線の出口エリアは１２０００mm２であり、光源のエミッタンスは４０ lm／mm２である。
【図７】本発明に係る照明配列を用いた光源の変形例の平面図である。
【図８】本発明に係る照明配列を用いた光源の変形例の平面図である。
【図９】半導体光源の変形例を製造する製造段階における半導体ウェハの平面図である。
【図１０】半導体光源の変形例を製造する製造段階における半導体ウェハの平面図である。
【図１１】半導体光源の変形例を製造する製造段階における半導体ウェハの平面図である。
【符号の説明】
【００５４】
１０  自動車用ヘッドライト
１１  基本セル
１２  光源
１３  光学系
Ｈ  水平寸法
Ｖ  垂直寸法
Ｒopt  光の半径
Ｎeff  光源の数
Ｆ  焦点距離
Ｗ  ウェハ
【図１】
2005056849.tif 000009
【図２】
2005056849.tif 000010
【図３】
2005056849.tif 000011
【図４】
2005056849.tif 000012
【図５】
2005056849.tif 000013
【図６】
2005056849.tif 000014
【図７】
2005056849.tif 000015
【図８】
2005056849.tif 000016
【図９】
2005056849.tif 000017
【図１０】
2005056849.tif 000018
【図１１】
2005056849.tif 000019